(57)【要約】【課題】  簡易な構成で、外観が良く且つキャンバスの緊張操作が簡単にできる柱体及びフェンスを提供する。【解決手段】  本発明の柱体１において、キャンバス５の上連結具７の頭部７ａがキャンバス５の袋状部１７及び芯材１９に係止し、軸部７ｂが芯材１９を貫通して支柱３に固定してあり、下連結具９はキャンバス５の袋状部２１を芯材３３とともに呑み込む保持具２５と、支柱に取り付けた固定具２７と、保持具２５に頭部２９ａを係止し且つ軸部２９ｂを固定具２７に挿通するボルト２９と、保持具２５の上下方向の進退量を調節する調節ナット３１とを有し、調節ナット３１は固定具２５に挿通したボルトの軸部２９ｂに螺合してボルト２９を固定具２７に止めている。【選択図】      図１
2004308413.tif 000002
【特許請求の範囲】
【請求項１】
支柱と、キャンバスと、キャンバスの上端縁を支柱に連結する上連結具と、キャンバスの下端縁を支柱に連結する下連結具とを備え、キャンバスは上端縁と下端縁のそれぞれに芯材を収納した袋状部を有し、上連結具はねじ又はボルトであり、頭部がキャンバスの袋状部及び芯材に係止し、軸部が芯材を貫通して支柱に固定してあり、下連結具はキャンバスの袋状部を芯材とともに呑み込む保持具と、支柱に取り付けた固定具と、保持具に頭部を係止し且つ軸部を固定具に挿通するボルトと、保持具の上下方向の進退量を調節する調節ナットとを有し、調節ナットは固定具に挿通したボルトの軸部に螺合してボルトを固定具に止めていることを特徴とする柱体。
【請求項２】
左右の支柱と、支柱間に配置したキャンバスと、キャンバスの左側端縁を左支柱に連結する左連結具と、キャンバスの右側端縁を右支柱に連結する右連結具とを備え、キャンバスは左右側端縁のそれぞれに芯材を収納した袋状部を有し、左右連結具のうちの少なくとも一方の連結具は、支柱の側面に固定する縦桟と、キャンバスの袋状部を芯材とともに呑み込む保持具と、縦桟内部で保持具の移動を前後方向に案内するガイド部と、保持具を前後方向に移動するとともに保持具を縦桟に止める調節ねじ又はボルトとを有し、調節ねじ又はボルトの操作部はキャンバスの後側に設けてあることを特徴とするフェンス。
【発明の詳細な説明】
【技術分野】
【０００１】
本発明は、柱体及びフェンスに関する。
【背景技術】
【０００２】
特許文献１には、支柱間にロープを架設するフェンスが開示されており、この特許文献１には、支柱に固定した固定プーリと、支柱から離接自在に設けた可動プールとにロープを掛け、ロープを架設するときには可動プールを支柱に近接する位置に配置しておき、支柱間にロープを架設した後、可動プールをばねの付勢力により支柱から離すことによりロープを緊張することが開示されている。
特許文献２には、支柱間にキャンバスを架設し、支柱間の左右のキャンバスに連結した張力アッセンブリによりキャンバスを緊張するフェンスが開示されている。この特許文献２には、張力アッセンブリはラチェット手段であることが記載されているが、その具体的構成については記載されていない。
一方、ポストポールや門柱等の支柱に、キャンバスを設けた構成は、従来なかった。
【０００３】
【特許文献１】実開平３−１１７０６３号公報
【特許文献２】特開昭６３−４００６９号公報
【発明の開示】
【発明が解決しようとする課題】
【０００４】
しかし、特許文献１の技術では、ロープを緊張させるための構成としてばね及び可動プーリの操作機構が必要になり構成が複雑になるという問題がある。
特許文献２の技術では、ラチェット手段によりキャンバスを緊張しているが、ラチェットを用いるとすれば、係止つめや戻り防止つめ、ラチェットの操作レバー等が必要になり、キャンバスを緊張させるための構成が複雑になるという問題がある。
そこで、本発明は、簡易な構成でキャンバスの緊張操作が簡単にできる柱体及びフェンスを提供することを目的とする。
【課題を解決するための手段】
【０００５】
請求項１に記載の発明は、支柱と、キャンバスと、キャンバスの上端縁を支柱に連結する上連結具と、キャンバスの下端縁を支柱に連結する下連結具とを備え、キャンバスは上端縁と下端縁のそれぞれに芯材を収納した袋状部を有し、上連結具はねじ又はボルトであり、頭部がキャンバスの袋状部及び芯材に係止し、軸部が芯材を貫通して支柱に固定してあり、下連結具はキャンバスの袋状部を芯材とともに呑み込む保持具と、支柱に取り付けた固定具と、保持具に頭部を係止し且つ軸部を固定具に挿通するボルトと、保持具の上下方向の進退量を調節する調節ナットとを有し、調節ナットは固定具に挿通したボルトの軸部に螺合してボルトを固定具に止めていることを特徴とする。
【０００６】
請求項２に記載の発明は、左右の支柱と、支柱間に配置したキャンバスと、キャンバスの左側端縁を左支柱に連結する左連結具と、キャンバスの右側端縁を右支柱に連結する右連結具とを備え、キャンバスは左右側端縁のそれぞれに芯材を収納した袋状部を有し、左右連結具のうちの少なくとも一方の連結具は、支柱の側面に固定する縦桟と、キャンバスの袋状部を芯材とともに呑み込む保持具と、縦桟内部で保持具の移動を前後方向に案内するガイド部と、保持具を前後方向に移動するとともに保持具を縦桟に止める調節ねじ又はボルトとを有し、調節ねじ又はボルトの操作部はキャンバスの後側に設けてあることを特徴とする。
【発明の効果】
【０００７】
請求項１に記載の発明によれば、キャンバスの緊張具は、従来のようにばねやラチェットを用いることなく、ボルトとナットであるから、構成が簡易である。
支柱にキャンバスを取り付けることにより、ポストポールや門柱等の柱体のデザインを豊富にできる。
キャンバスは上下端縁に芯材を収納した袋状部を有しているから、上端縁の固定は芯材とともに袋状部をねじ又はボルトにより支柱に容易に固定できる。また、袋状部及び芯材を設けないで上端縁の各所を単にねじとめする場合に比較して、キャンバスを緊張したときにねじ止めした箇所から皺が生じ難い。
キャンバスを緊張する場合には、下連結具の調節ナットを締め付けることにより、キャンバスを下方に引っ張るのでキャンバスの緊張が簡単にできる。
キャンバスの緊張をキャンバスの下端縁側でおこなうことにより、キャンバスに作用する重力方向に沿ってキャンバスを下方向に引っ張るので、上方に向けて張る場合に比較して小さな力でキャンバスを緊張できる。
【０００８】
請求項２に記載の発明によれば、キャンバスを緊張する連結具は、従来のようにばねやラチェットを用いることなく、ボルトとナットであるから、構成が簡易である。
キャンバスの緊張は、ねじ又はボルトの螺進操作により容易に行なうことができ、操作性が良い。
キャンバスは袋状部とともに芯材を保持具に呑み込ませることにより容易に保持具に固定でき、施工が容易にできる。
保持具は縦桟の内部にあり、外部から見え難いので外観がよい。
キャンバスを緊張する調節ねじ又はボルトの操作部は、キャンバスの後側にあるので正面から見えず、外観がよい。
【発明を実施するための最良の形態】
【０００９】
以下に、添付図面を参照して本発明の実施の形態を説明するが、まず、図１〜図４を参照して本発明の第１実施の形態を説明する。図１は本発明の第１実施の形態にかかる柱体の図であり、（ａ）は側面図、（ｂ）は（ａ）に示す柱体頂部を分解して示す側面図であり、（ｃ）は（ａ）に示す下連結具を拡大して示す断面図であり、図２は図１（ａ）に示す柱体の正面図であり、図３は図１（ａ）に示す柱体の背面図であり、図４は図１（ｂ）に示す上連結具の正面図である。
第１実施の形態にかかる柱体１は、支柱３と、キャンバス５と、キャンバス５を支柱３に固定する上連結具７及び下連結具９を備えている。支柱３は門柱である。
支柱３には、ポスト１１、インターホン１３、外灯１５が設けてあり、支柱３の背面側にキャンバス５が取り付けられている。
キャンバス５には上端縁に袋状部１７が形成されており、上端縁の袋上部１７には芯材１９が収納されている。キャンバスの下端縁にも袋状部２１が形成されており、袋状部に２１には芯材３３が収納されている。キャンバス５の左右端は自由端になっている。尚、本実施の形態では、キャンバス５は布である。
上連結具７はねじであり、上連結具７をキャンバスの上端縁にある袋状部１７に挿通して、頭７ａを袋状部１７及び芯材１９に係止して、軸部７ｂが袋状部１７及び芯材１９を貫通して支柱の頂部２３にねじ固定している。尚、本実施の形態では、支柱３の頂部２３には、キャップ２５が設けてあり、上連結具７に上から被せて下連結具７を隠している。
下連結具９は、保持具２５と、固定具２７と、ボルト２９と、調節ナット３１とから構成されている。保持具２５は、キャンバス５の下端縁に形成した袋状部２１とともに袋状部２１に収納した芯材３３を呑み込んでおり、保持具２５に形成してある長手方向の隙間３５がキャンバス５の通路になっている。芯材３３は保持具２５の隙間３５よりも大きな径を有し、保持具２５の内部に保持されている。
固定具２７は一端縁をねじで支柱３の後面に固定されている。固定具２７にはボルト２９の挿通孔が形成されており、ボルト２９は、頭２９ａが保持具２７に係止されており、軸部２９ｂが固定具２７のボルト挿通孔に上下方向に挿通されている。
本実施の形態では、固定具２７にはカバー部材３７が固定されており、保持具２５、ボルト２９及び調節ナット３１を後方の３面から覆っており、カバー部材３７の内側が外側から見えないようになっている。
調節ナット３１は固定具２７を挿通した軸部２９ｂの下部に螺合してあり、且つ固定具２７の下面に係止されている。この構成により、調節ナット３１を締め付けたり緩めることにより、固定具２７に対して保持具２７が上下に進退するようになっている。尚、本実施の形態では、調節ナット３１は蝶ナットであり、手で操作が容易にできる。
【００１０】
次に、本発明にかかる柱体１の組み立て及び作用について説明する。支柱３にキャンバス５を取り付ける場合には、キャンバス５の上端縁の袋状部１７を芯材１９とともに支柱の頂部に、上連結具７で螺合により固定する。キャンバス５の上縁部には袋状部１７を形成しているから、袋状部１７に芯材１９を挿入して、袋状部１７を芯材１９とともに上連結具７で支柱３に螺合することによりキャンバスの上端縁を支柱３に容易に固定できる。
次に、キャンバス５の下端縁を下連結具９で支柱３に固定する。下連結具９では、キャンバス５の下端縁にある袋状部２１を芯材３３とともに保持具２５に呑み込ませる。保持具２５には、例えば、保持具の長手方向一端側から袋状部２１を芯材３３とともに保持具２５の内部に通しておこなう。
次に、保持具２５に頭部２９ａを係止してあるボルト２９を固定具２７のボルト挿通孔に上から挿通して、固定具２７の下面からボルト２９の軸部２９ｂに調節ナット３１を螺合して固定具２７の下面に調節ナット３１を止着する。
キャンバス５を緊張する場合には、固定具２７の下面にある調節ナット３１を締め付け、固定具２７をボルト２９とともに下方に引き寄せて、キャンバス５を下方に引張り、キャンバス５を緊張させる。尚、キャンバス５の緊張を緩めるときには調節ナット３１を緩めることにより簡単に行なうことができる。
本実施の形態では、キャンバス５の緊張をキャンバス５の下端縁側でおこなうことにより、キャンバス５に作用する重力方向に沿ってキャンバスを下方向に引っ張るので、上方に向けて張る場合に比較して小さな力でキャンバス５を容易に緊張できる。
支柱３にキャンバス５を設けることにより、柱体１のデザインを豊富にできる。
また、本実施の形態では、キャンバス５は外灯１５の背面に設けて外灯１５の光を正面に向けて反射させているので、正面における照明を高めるとともに、光とキャンバスとでいままでにないデザイン効果を発揮することができる。
【００１１】
次に、図５及び図６を参照して本発明の第２実施の形態について説明する。尚、以下に説明する実施の形態において、上述した実施の形態と同一の作用効果を奏する部分には同一の符号を付することにより、その部分の詳細な説明を省略し、上述した第１実施の形態と異なる点を主に説明する。図５は図６に示すフェンスのＡ−Ａ横断面図であり、図６は第２実施の形態にかかるフェンスの正面図である。
本実施の形態にかかるフェンス４１は、左右の支柱４３、４５と、左右の支柱４３、４５間に配置したキャンバス５と、キャンバス５の左側端縁５ａを左支柱４３に連結する左連結具４７と、キャンバスの右側端縁５ｂを右支柱４５に連結する右連結具４９とを備えている。
キャンバス５は、左右側端縁に袋状部２１を有しており、袋状部２１内には芯材３３が収納されている。
左連結具４７及び右連結具４９は、本実施の形態では、それぞれ略同じ構成になっているので、以下の説明では左連結具４７を説明して、右連結具４９の説明を省略する。
左連結具４７は、縦桟５１と、縦桟５１の内部に設けた保持具５３、縦桟内部で保持具５３の移動を案内するガイド部５５と、保持具５３を縦桟５１に対して移動する調節ねじ５７とから構成されている。
縦桟５１は、支柱４３の側面に連結されており、本実施の形態では、上部が支柱に軸支されて水平軸周りに回動自在になっており、操作レバー５８により下端を正面に突き出し可能に支柱４３に連結されている。縦桟５１には、側面に長手方向の隙間５９が形成されており、隙間５９がキャンバス５の通路になっている。尚、芯材３３は保持具２５の隙間３５よりも大きな径を有し、保持具２５の内部に保持されている。
ガイド部５５は、縦桟５１の内部に設けて、断面略コ字形状に形成されている。このガイド部５５には保持具５３の後端縁が挿通されているとともに、断面コ字状の両側面に沿って保持具５３の移動を前後方向に案内している。
保持具５３は縦桟５１の内部に設けており、キャンバスの袋状部２１を芯材３３とともに呑み込んでいる。保持具５３の後部には、ガイド部５５の後端縁を貫通して且つガイド部５５の外面に被着した断面コ字形状の被着部６３が設けられている。保持具５３には、例えば、保持具の長手方向一端側から袋状部２１を芯材３３とともに保持具５３の内部に通しておこなう。
調節ねじ５７は、縦桟５１の後面に後方から挿通しており、軸部５７ｂは保持具５３の後部に螺合している。調節ねじ５７の頭５７ａは縦桟５１の後面５１ａに係止されている。この調節ねじ５７の頭５７ａはキャンバス５の後側に設けてあり、例えば、ドライバーで操作することにより保持具５３を進退するようになっている。
次に、本実施の形態によるキャンバスの緊張操作及び作用を説明する。キャンバス５を緊張する場合には、左右の支柱４３、４５いずれか一つ又は両方において、調節ねじ５７を締め付けると、保持具５３に螺合する調節ねじ５７が螺進しようとするが、調節ねじ５７の頭５１ａが縦桟５１の後面５１ａに当接しているので、縦桟５１に対して、保持具５３がガイド部５５に案内されて縦桟５１内を後方に移動する。
これにより、保持具５３に係止しているキャンバス５の左右側の一端が縦桟５１内を後方に移動してキャンバス５が緊張する。
キャンバス５の緊張は、調節ねじ５７の操作により容易に行なうことができる。
キャンバス５は袋状部２１とともに芯材３３を保持具５３に呑み込ませることにより容易に保持具５３に固定できる。
保持具５３は縦桟５１の内部にあり、外部から見え難いので外観がよい。
キャンバス５を緊張する調節ねじ５７は、キャンバス５後側にあるので、正面から見えず、外観がよい。
本実施の形態では、左右の連結具４７、４９ともに、キャンバス５を緊張する調節ねじ５７が設けてあるので、左右のいずれにおいてもキャンバス５の緊張操作ができるので、操作性が良い。
本発明は、上述した実施の形態に限らず、本発明の要旨を逸脱しない範囲で種々変形可能である。
例えば、第１実施の形態において、上連結具７は、ねじに限らずボルトであってもよい。
キャンバス５の上端縁は支柱３の頂部２３に固定することに限らず、キャンバス５を上下方向に取り付けるものであれば、支柱３のいずれの位置に取り付けるものであってもよい。
支柱３はポストポールに限らず、門柱や、外灯等その用途や機能は限定されない。
第２実施の形態において、左右の連結具４７、４９の両方共に保持具５３とガイド部５５と調節ねじ５７とを備えることに限らず、いずれか一方はキャンバスの一方の端縁を支柱４３（又は４５）に設けた溝や孔に係止したり、ねじで固定するものであってもよい。
調節ねじ５７はボルトであってもよい。調節ねじがボルトである場合に、操作部はボルトの頭であってもよいし、ボルトの頭を保持具に係止してボルトの軸に螺合するナットを操作部とし、ナットの締め付けにより保持具を後方に移動させるものであってもよい。
調節ねじ５７又はボルトは、キャンバス５の後側で操作するものであればよく、縦桟に固定したブラケットに調節ねじ５７やボルトの頭を止めてもよい。
左右の支柱４３、４５及び左右連結具４７、４９はいずれが左でも右でもよい。
第１及び第２実施の形態において、キャンバス５は布に限らず、樹脂材シートであってもよく、材質は制限されない。
【図面の簡単な説明】
【００１２】
【図１】本発明の第１実施の形態にかかる柱体の図であり、（ａ）は側面図、（ｂ）は（ａ）に示す柱体頂部を分解して示す側面図であり、（ｃ）は（ａ）に示す下連結具を拡大して示す断面図である。
【図２】図１（ａ）に示す柱体の正面図である。
【図３】図１（ａ）に示す柱体の背面図である。
【図４】図１（ｂ）に示す上連結具の正面図である。
【図５】図６に示すフェンスのＡ−Ａ横断面図である。
【図６】第２実施の形態にかかるフェンスの正面図である
【符号の説明】
【００１３】
１      柱体
３      支柱
５      キャンバス
７      上連結具
７ａ    頭部
９      下連結具
１７    袋状部
１９    芯材
２１    袋状部
２５    保持具
２７    固定具
２９    ボルト
２９ａ  頭部
３１    調節ナット
３３    芯材
４１    フェンス
４３    左支柱
４５    右支柱
４７    左連結具
４９    右連結具
５１    縦桟
５３    保持具
５５    ガイド部
５７    調節ねじ
５７ａ  頭部
５７ｂ  軸部
【図１】
2004308413.tif 000003
【図２】
2004308413.tif 000004
【図３】
2004308413.tif 000005
【図４】
2004308413.tif 000006
【図５】
2004308413.tif 000007
【図６】
2004308413.tif 000008